(57)【特許請求の範囲】
【請求項１】
集合住宅の玄関に設置された集合玄関機と、居住者の住戸に設置された居室親機と、来訪者が前記集合玄関機を操作して訪問先居住者を伝えるための管理室親機と、前記集合玄関機、前記居室親機及び前記管理室親機をそれぞれ制御する制御機とを備え、
前記制御機は、前記集合玄関機が前記管理室親機を呼び出したときに、前記集合玄関機のカメラからの映像を前記管理室親機のモニタに表示させ、前記管理室親機が前記集合玄関機からの呼び出しに応答したときに、前記集合玄関機と前記管理室親機との間に通話路を形成し、前記管理室親機が前記訪問先居住者の居室親機を呼び出したときに、前記管理室親機のモニタの前記映像表示を継続した状態で、前記居室親機のモニタに前記集合玄関機のカメラからの映像を表示させ、前記居室親機が前記管理室親機からの呼び出しに応答したときに、前記管理室親機と前記居室親機との間に通話路を形成する制御を行う集合住宅インターホンシステムであって、
前記管理室親機と前記居室親機との通話中に、前記集合玄関機のカメラとは異なる場所から来訪者を撮像する監視カメラを備え、
前記居室親機に、前記集合玄関機のカメラが撮像した映像と前記監視カメラが撮像した映像とを該居室親機のモニタに切り替えて表示させるための制御を行う居室親機ＣＰＵを設け、
前記制御機は、前記居室親機におけるモニタの表示が前記監視カメラからの映像に切り替えられたときに、前記管理室親機のモニタに前記監視カメラからの映像を表示させる制御を行うことを特徴とする集合住宅インターホンシステム。
【請求項２】
前記制御機は、前記管理室親機が前記訪問先居住者の居室親機を呼び出したときに、前記集合玄関機と前記管理室親機との間の前記通話路を遮断する制御を行う請求項１記載の集合住宅インターホンシステム。
【請求項３】
前記制御機は、前記管理室親機が前記訪問先居住者の居室親機を呼び出したときに、前記集合玄関機と前記管理室親機との間の前記通話路を開路状態に維持する制御を行う請求項１記載の集合住宅インターホンシステム。
【発明の詳細な説明】
【技術分野】
【０００１】
本発明は、来訪者の呼び出しを居住者に取り次ぐ機能を備えた集合住宅インターホンシステムに関する。
【背景技術】
【０００２】
従来、来訪者の呼び出しを管理室親機が集合玄関機から居室親機に取り次ぐインターホンシステムが知られている。例えば、特許文献１には、居住者が応対したくない来訪者との通話を避けるために、集合玄関機からの呼び出しに対して、まず管理室親機が応答し、居室親機を呼び出して居住者に来訪者の訪問を伝え、同時に集合玄関機のカメラが撮像した来訪者の映像を居室親機に転送し、居室親機のモニタに出画された映像に基づいて、居住者がその来訪者と通話をする、しないを判断できるように構成したインターホンシステムが提案されている。
【先行技術文献】
【特許文献】
【０００３】
【特許文献１】特開２００９−１８２６３８号公報
【発明の概要】
【発明が解決しようとする課題】
【０００４】
ところが、従来のインターホンシステムによると、集合玄関機からの映像だけでは、居住者が取り次がれた来訪者との通話の可否を判断しかねることがあった。特に、管理室親機による取次ぎ中に、来訪者が集合玄関機のカメラに背を向けたり、集合玄関機から離れて近辺を歩き回ったりした場合、集合玄関機からの映像は情報価値を失うため、居住者は通話の可否を判断できなくなるという問題点があった。
【０００５】
そこで、本発明の目的は、取次ぎ中の来訪者の挙動に係わりなく、居住者が通話の可否をより的確に判断できる集合住宅インターホンシステムを提供することにある。
【課題を解決するための手段】
【０００６】
上記課題を解決するために、本発明は次のような集合住宅インターホンシステムを提供する。
（１）集合住宅の玄関に設置された集合玄関機と、居住者の住戸に設置された居室親機と、来訪者が集合玄関機を操作して訪問先居住者を伝えるための管理室親機と、集合玄関機、居室親機および管理室親機をそれぞれ制御する制御機とを備え、制御機は、集合玄関機が管理室親機を呼び出したときに、集合玄関機のカメラからの映像を管理室親機のモニタに表示させ、管理室親機が集合玄関機からの呼び出しに応答したときに、集合玄関機と管理室親機との間に通話路を形成し、管理室親機が訪問先居住者の居室親機を呼び出したときに、管理室親機のモニタの映像表示を継続した状態で、居室親機のモニタに集合玄関機のカメラからの映像を表示させ、居室親機が管理室親機からの呼び出しに応答したときに、管理室親機と居室親機との間に通話路を形成する制御を行い、さらに、管理室親機と居室親機との通話中に、集合玄関機のカメラとは異なる場所から来訪者を撮像する監視カメラを備え、居室親機に、集合玄関機のカメラが撮像した映像と監視カメラが撮像した映像とを居室親機のモニタに切り替えて表示させるための制御を行う居室親機ＣＰＵを設けたことを特徴とする集合住宅インターホンシステム。
【０００７】
（２）制御機は、居室親機におけるモニタの表示が監視カメラからの映像に切り替えられたときに、管理室親機のモニタに監視カメラからの映像を表示させる制御を行うことを特徴とする集合住宅インターホンシステム。
【０００８】
（３）制御機は、居室親機におけるモニタの表示が監視カメラからの映像に切り替えられたときに、管理室親機のモニタに集合玄関機のカメラからの映像を継続的に表示させる制御を行うことを特徴とする集合住宅インターホンシステム。
【０００９】
（４）制御機は、管理室親機が訪問先居住者の居室親機を呼び出したときに、集合玄関機と管理室親機との間の通話路を遮断する制御を行うことを特徴とする集合住宅インターホンシステム。
【００１０】
（５）制御機は、管理室親機が訪問先居住者の居室親機を呼び出したときに、集合玄関機と管理室親機との間の通話路を開路状態に維持する制御を行うことを特徴とする集合住宅インターホンシステム。
【発明の効果】
【００１１】
本発明のインターホンシステムによれば、管理室親機と居室親機との通話中に、監視カメラが集合玄関機のカメラとは異なる場所から来訪者を撮像するので、居住者は居室親機のモニタに出画される映像を切り替えることで、取り次がれた来訪者の様子を入念に観察し、その来訪者との通話の可否をより的確に判断できるという効果がある。
【図面の簡単な説明】
【００１２】
【図１】本発明の一実施形態を示すインターホンシステムの全体図である。
【図２】集合玄関機の構成を示すブロック図である。
【図３】居室親機の構成を示すブロック図である。
【図４】管理室親機の構成を示すブロック図である。
【図５】インターホンシステムの動作を示すシーケンス図である。
【図６】集合玄関機の案内メッセージを示す表示部の正面図である。
【図７】集合玄関機の別の案内メッセージを示す表示部の正面図である。
【発明を実施するための形態】
【００１３】
以下、本発明の実施形態を図面に基づいて説明する。図１に示す集合住宅インターホンシステム１は、集合住宅の玄関に設置された集合玄関機２と、居住者の住戸に設置された居室親機３と、コンシェルジュが応対する受付に設置された第１管理室親機４と、管理室に設置された第２管理室親機５と、集合玄関機２とは別の場所に設置された一つまたは複数台の監視カメラ６と、各機器間の通話路および信号伝送路を切り替える制御機７と、オートドア８の開閉を制御するオートドア制御盤９とから構成されている。
【００１４】
図２に示すように、集合玄関機２には、来訪者を撮像する玄関カメラ２１、玄関カメラ２１の映像信号を処理する映像処理部２２、来訪者に各種のメッセージを表示する表示部２３（図６、図７参照）、来訪者が訪問先の住戸番号等を入力するテンキーを備えた操作部２４、管理室親機４，５を呼び出す呼出ボタン２５、マイクとスピーカを備えた通話部２６、来訪者の接近を感知する人感センサ２７、集合玄関機２の各回路を制御する集合玄関機ＣＰＵ２８、制御機７と通信する集合玄関機ＩＦ２９が設けられている。
【００１５】
図３に示すように、居室親機３には、玄関カメラ２１および監視カメラ６が撮像した映像を処理する映像処理部３１、処理された映像を表示するモニタ３２、モニタ３２の表示を玄関カメラ２１の撮映像と監視カメラ６の撮映像とに切り替える表示切替器３３、集合玄関機２または管理室親機４，５からの呼び出しに応答する通話ボタン３４、マイク及びスピーカを備えた通話部３５、オートドア８を解錠する解錠ボタン３６、居室親機３の各回路を制御する居室親機ＣＰＵ３７、制御機７と通信するための居室親機ＩＦ３８が設けられている。
【００１６】
図４に示すように、第１および第２管理室親機４，５はそれぞれ同様に構成され、玄関カメラ２１および監視カメラ６の撮映像を処理する映像処理部４１、処理された映像を表示するモニタ４２、集合玄関機２または居室親機３からの呼び出しに応答する通話ボタン４３、マイク及びスピーカを備えた通話部４４、居室親機３の呼出操作等を行う操作部４５、通話を転送する転送ボタン４６、オートドア８を解錠する解錠ボタン４７、管理室親機４，５の各回路を制御する管理室親機ＣＰＵ４８、制御機７と通信するための管理室親機ＩＦ４９を備えている。
【００１７】
次に、上記構成のインターホンシステム１の動作について説明する。来訪者が集合玄関機２に接近すると、人感センサ２７がＯＮし、図６に示すように、来訪者にコンシェルジュを呼び出すように促すメッセージが表示部２３に表示される。来訪者が管理室を選択して呼出ボタン２５を押すと、制御機７が図５に示すような制御を開始し、呼出信号（ＳＧ１）が第１管理室親機４へ送信されるとともに、玄関カメラ２１の映像信号（ＳＧ２）が集合玄関機２から受付の第１管理室親機４に送信される。
【００１８】
なお、受付にコンシェルジュが不在の場合は、第１管理室親機４における操作部４５の操作により、同じ機能を第１管理室親機４から管理室の第２管理室親機５に移し、管理人の操作により集合玄関機２からの呼び出しを居室親機３に取り次ぐことができる。また、夜間等にコンシェルジュも管理人も不在となる集合住宅では、集合玄関機２の表示部２３に図７に示すような案内メッセージが表示される。
【００１９】
第１管理室親機４では、管理室親機ＣＰＵ４８の制御により、通話部４４のスピーカから呼出音が出力されると同時に、モニタ４２に玄関カメラ２１の撮映像が表示される。そして、コンシェルジュが呼び出しを確認して通話ボタン４３を押すと、応答信号（ＳＧ３）が第１管理室親機４から制御機７を介して集合玄関機２に返信され、制御機７が集合玄関機２と第１管理室親機４との間に通話路を形成し、この通話路を利用して来訪者がコンシェルジュに訪問先を告げる。
【００２０】
来訪者の呼び出しを取り次ぐために、コンシェルジュが操作部４５により訪問先居住者の住戸番号を入力し、転送ボタン４６を操作すると、呼出信号（ＳＧ４）が第１管理室親機４から制御機７を介して居室親機３に送信される。このとき制御機７は、来訪者がコンシェルジュと居住者との通話を聞き取れなくするために、集合玄関機２と第１管理室親機４との間の通話路を遮断する。あるいは、コンシェルジュが両者間でスムーズに伝言できるように、制御機７は、集合玄関機２と第１管理室親機４との間の通話路を開路状態に維持する制御を行う。
【００２１】
そして、居住者が呼び出しに応答して通話ボタン３４を操作すると、応答信号（ＳＧ５）が居室親機３から制御機７を介して第１管理室親機４に送信される。制御機７は、応答信号（ＳＧ５）を確認し、玄関カメラ２１の映像信号（ＳＧ１）と共に監視カメラ６の映像信号（ＳＧ６）を居室親機３に送信するための制御を行った後に、居室親機３と第１管理室親機４との間に通話路を形成する。これにより、居室親機３において通話部３５を用いて第１管理室親機４と通話が可能となると共に、モニタ３２で集合玄関機２の玄関カメラ２１と監視カメラ６の二通りの映像を表示可能な状態となる。
【００２２】
この状態で、居住者は表示切替器３３を操作し、モニタ３２の表示を玄関カメラ２１が撮像した映像と監視カメラ６が撮像した映像とに切り替え、来訪者の様子を観察する。こうすれば、取次ぎ中に来訪者が玄関カメラ２１に背を向けたり、風除室辺りを歩き回ったりした場合でも、居住者は集合玄関機２とは別の箇所、好ましくは複数箇所に設置された監視カメラ６の映像に基づいて、来訪者の様子を入念に観察し、通話の可否をより的確に判断することができる。
【００２３】
居住者によってモニタ３２の表示が監視カメラ６からの映像に切り替えられたときには、制御機７は、第１管理室親機４のモニタ４２にも、監視カメラ６からの映像が居室親機３における操作に連動して切替表示されるような制御を行う。こうすれば、コンシェルジュも居住者と同じ映像に基づいて来訪者を観察できる。あるいは、来訪者と居住者のプライバシーを考慮する観点から、制御機７は、第１管理室親機４のモニタ４２に、玄関カメラ２１からの映像のみが継続的に表示されるような制御を行うこともできる。
【００２４】
居住者が来訪者と通話をしないと判断した場合は、その旨をコンシェルジュに伝え、居室親機３で終話操作を行い、終話信号（ＳＧ７）が第１管理室親機４に送信され、第１管理室親機４と集合玄関機２との間に通話路が再開され、コンシェルジュが来訪者に居住者の意向を伝え、取次処理が終了する。一方、居住者が来訪者と通話をすると判断した場合は、その旨をコンシェルジュに伝え、コンシェルジュが第１管理室親機４で終話操作を行い、終話信号（ＳＧ８）が居室親機３に送信され、制御機７が集合玄関機２と居室親機３との通話路を形成し、来訪者と居住者との間で通話が行われる。
【００２５】
なお、通常は、居室親機３の解錠ボタン３６または管理室親機４，５の解錠ボタン４７の操作によってオートドア８が解錠され、解錠操作の後に終話操作を行うことで、居室親機３または管理室親機４，５がモニタ３２，４２の表示を消して待ち受け状態に戻る。しかし、終話操作に応答し直ちにモニタ３２，４２の表示を消さず、オートドア制御盤９が施錠信号を出力するまで、あるいは、集合玄関機３から次の呼び出しがあるまで、モニタ３２，４２の表示を維持するのが好ましい。そうすれば、オートドア８が解錠されるタイミングを見計らって集合住宅内に侵入しようとする、いわゆる「共連れ」行為をモニタ３２，４２で監視することができる。
【符号の説明】
【００２６】
１    集合住宅インターホンシステム
２    集合玄関機
３    居室親機
４    第１管理室親機
５    第２管理室親機
６    監視カメラ
７    制御機
２１    玄関カメラ
２８    集合玄関機ＣＰＵ
３２    居室親機モニタ
３３    表示切替器
３７    居室親機ＣＰＵ
４２    管理室親機モニタ
４６    転送ボタン
４８    管理室親機ＣＰＵ
【図１】
0005881109.tif 000002
【図２】
0005881109.tif 000003
【図３】
0005881109.tif 000004
【図４】
0005881109.tif 000005
【図５】
0005881109.tif 000006
【図６】
0005881109.tif 000007
【図７】
0005881109.tif 000008